(57)【要約】【課題】物理的または熱的変形を生じさせることなく穿孔された不織布ウェブを製造する方法及びその不織布ウェブを含む吸収性物品を提供する。【解決手段】本発明の吸収性物品は、液体透過性の表面シートと、液体不透過性の背面シートと、前記表面シート及び前記背面シートの間に配置された、前記表面シートを透過した液体を吸収するための吸収体と、前記表面シート及び前記吸収体の間に配置された、前記表面シートを透過した液体を前記吸収体へ送達するためのサージ層とを含む。サージ層は、物理的または熱的変形を生じさせることなく穿孔された不織布ウェブを含む。【選択図】図３
2014051771.tif 000002
【特許請求の範囲】
【請求項１】
物理的または熱的変形を生じさせることなく穿孔された不織布ウェブを製造する方法であって、
繊維を混合するステップと、
前記混合された繊維をオープニングするステップと、
前記オープニングされた繊維をカーディングするステップと、
前記カーディングされた繊維を物理的または熱的変形を生じさせることなく穿孔するステップと、
前記穿孔された繊維をボンディングするステップと、
前記ボンディングされた繊維をフィニッシングするステップと
を含むことを特徴とする方法。
【請求項２】
前記穿孔するステップが、所定圧力の空気を前記カーディングされた繊維に向かって断続的に噴射して、貫通孔を形成すると共に前記貫通孔の周囲の前記カーディングされた繊維を押し広げることにより行われることを特徴とする請求項１に記載の方法。
【請求項３】
前記カーディングするステップ及び前記穿孔するステップが、前記オープニングされた繊維を突起を有するコンベヤ上でカーディングすることにより同時に行われ、
前記ボンディングするステップが、前記不織布ウェブの表面及び／又は底面に対して所定の空気圧力または可変的な圧力を加えることにより行われることを特徴とする請求項１に記載の方法。
【請求項４】
請求項１〜３のうちのいずれか一項に記載の方法によって製造されることを特徴とする物理的または熱的変形を生じさせることなく穿孔して貫通孔を形成した不織布ウェブ。
【請求項５】
前記貫通孔の総面積が前記不織布ウェブの全面積の５〜８０％の範囲であることを特徴とする請求項４に記載の不織布ウェブ。
【請求項６】
前記貫通孔の直径が２〜３０ｍｍの範囲であることを特徴とする請求項４に記載の不織布ウェブ。
【請求項７】
前記貫通孔の直径が５〜１０ｍｍの範囲であることを特徴とする請求項６に記載の不織布ウェブ。
【請求項８】
前記不織布ウェブの坪量が２０〜４００ｇｓｍの範囲であることを特徴とする請求項４に記載の不織布ウェブ。
【請求項９】
吸収性物品であって、
液体透過性の表面シートと、
液体不透過性の背面シートと、
前記表面シート及び前記背面シートの間に配置された、前記表面シートを透過した液体を吸収するための吸収体と、
前記表面シート及び前記吸収体の間に配置された、前記表面シートを透過した液体を前記吸収体へ送達するためのサージ層とを含み、
前記サージ層が、請求項４に記載の物理的または熱的変形を生じさせることなく穿孔して貫通孔を形成した不織布ウェブを含むことを特徴とする吸収性物品。
【請求項１０】
前記貫通孔の総面積が前記不織布ウェブの全面積の５〜８０％の範囲であることを特徴とする請求項９に記載の吸収性物品。
【請求項１１】
前記貫通孔の直径が２〜３０ｍｍの範囲であることを特徴とする請求項９に記載の吸収性物品。
【請求項１２】
前記貫通孔の直径が５〜１０ｍｍの範囲であることを特徴とする請求項１１に記載の吸収性物品。
【請求項１３】
前記不織布ウェブの坪量が２０〜４００ｇｓｍの範囲であることを特徴とする請求項９に記載の吸収性物品。
【請求項１４】
吸収性物品であって、
液体透過性の表面シートと、
液体不透過性の背面シートと、
前記表面シート及び前記背面シートの間に配置された、前記表面シートを透過した液体を吸収するための吸収体と、
前記表面シート及び前記吸収体の間に配置された、前記表面シートを透過した液体を前記吸収体へ送達するためのサージ層とを含み、
前記サージ層が、請求項４に記載の物理的または熱的変形を生じさせることなく穿孔して貫通孔を形成した有孔不織布ウェブと、前記有孔不織布ウェブ上に積層させた無孔不織布ウェブとを含む積層体を含むことを特徴とする吸収性物品。
【請求項１５】
前記貫通孔の総面積が前記有孔不織布ウェブの全面積の５〜８０％の範囲であることを特徴とする請求項１４に記載の吸収性物品。
【請求項１６】
前記貫通孔の直径が２〜３０ｍｍの範囲であることを特徴とする請求項１４に記載の吸収性物品。
【請求項１７】
前記貫通孔の直径が５〜１０ｍｍの範囲であることを特徴とする請求項１６に記載の吸収性物品。
【請求項１８】
前記有孔不織布ウェブの坪量が２０〜４００ｇｓｍの範囲であることを特徴とする請求項１４に記載の吸収性物品。
【請求項１９】
前記無孔不織布ウェブの坪量が１０〜３０ｇｓｍの範囲であることを特徴とする請求項１４に記載の吸収性物品。
【請求項２０】
吸収性物品であって、
液体透過性の表面シートと、
液体不透過性の背面シートと、
前記表面シート及び前記背面シートの間に配置された、前記表面シートを透過した液体を吸収するための吸収体と、
前記表面シート及び前記吸収体の間に配置された、前記表面シートを透過した液体を前記吸収体へ送達するためのサージ層とを含み、
前記表面シートが、請求項４に記載の物理的または熱的変形を生じさせることなく穿孔して貫通孔を形成した不織布ウェブを含むことを特徴とする吸収性物品。
【請求項２１】
前記貫通孔の総面積が前記不織布ウェブの全面積の５〜８０％の範囲であることを特徴とする請求項２０に記載の吸収性物品。
【請求項２２】
前記貫通孔の直径が２〜３０ｍｍの範囲であることを特徴とする請求項２０に記載の吸収性物品。
【請求項２３】
前記貫通孔の直径が５〜１０ｍｍの範囲であることを特徴とする請求項２２に記載の吸収性物品。
【請求項２４】
前記不織布ウェブの坪量が２０〜４００ｇｓｍの範囲であることを特徴とする請求項２０に記載の吸収性物品。
【発明の詳細な説明】
【技術分野】
【０００１】
本発明は、物理的または熱的変形を生じさせることなく穿孔された不織布ウェブを製造する方法及びその不織布ウェブを含む吸収性物品に関する。より詳細には、本発明は、着用者の身体から排出された大量の液体を素早く捕捉できるようにすると共に吸収体への送達を容易にするために、物理的または熱的変形を生じさせることなく穿孔された不織布ウェブを含む、おむつ、女性用生理用ナプキンまたはライナなどの吸収性物品に関する。
【背景技術】
【０００２】
従来の吸収性物品の一例が図１に示されている。図１を参照すると、従来の吸収性物品１０は、身体側の液体透過性の表面シート２と、外側の液体不透過性の背面シート４と、表面シート２及び背面シート４の間に配置される吸収体６と、表面シート２及び吸収体６の間に配置されるサージ層８とを含む。
【０００３】
表面シート２は、着用者の皮膚と接触する。表面シート２は、吸収性物品１０の着用中に着用者が快適に感じるように、柔らかさを提供する役割を果たす。吸収体６は、表面シート２を透過した、着用者の身体から排出された液体を吸収して保持する役割を果たす。吸収体６は、パルプ繊維か、あるいは高吸収性粒子と混合されたパルプ繊維から製造される。背面シート４は、吸収体６の下側に配置される。背面シート４は、吸収体６に保持された液体が外部に排出されないように、液体不透過性のフィルム材質から製造される。
【０００４】
サージ層８は、液体を素早く吸収すると共に、吸収した液体を吸収体６に送達することによって、着用者の皮膚が湿った状態になるのを防止する役割を果たす。そのために、サージ層８は、低繊維密度かつ高バルク性の不織布ウェブから製造される。しかし、このようなサージ層８を製造するためには高坪量の材料が必要であるため、製造コストが高くなる。そのため、サージ層８は、製造コストを節減しながらも、性能の維持または向上を図るために、穿孔された不織布ウェブから構成される。
【０００５】
このような従来の技術では、サージ層は、穿孔された不織布ウェブから構成される。そのような穿孔された不織布ウェブは、ボンディングされた繊維のシートの一部を切断装置（パンチなど）によって物理的に切り取ったり、ボンディングされた繊維のシートを加熱したピンによって穿孔したりすることによって製造される。他の例では、そのような不織布ウェブは、突起を有する第１のロールとそれに対応するように構成された第２のロールとの間を通過させることによって穿孔する。したがって、穿孔された不織布ウェブには、穿孔過程で加えられる物理的または熱的圧力によって変形が生じ得る。その結果、貫通孔の周囲の繊維密度が大きくなるだけでなく、不織布ウェブの密度が大きくなるという問題があった（その結果、バルク性が低くなる）。また、穿孔の過程で加えられる物理的または熱的圧力により、繊維の損傷及びサージ層のゴワゴワ感が生じるという問題があった。
【発明の概要】
【発明が解決しようとする課題】
【０００６】
本発明は、上記のような問題を解決するためのものであって、物理的または熱的圧力を加えることなく不織布ウェブを穿孔することによって、サージ層の柔らかさを向上させると共に、不織布ウェブの繊維密度の増加を防止し、繊維の損傷を減少させることができる不織布ウェブの製造方法を提供する。また、本発明はそのような不織布ウェブを含む吸収性物品を提供する。
【課題を解決するための手段】
【０００７】
本発明の一実施例による物理的または熱的変形なしに穿孔された不織布は、繊維を混合する工程と、前記混合された繊維をオープニングする工程と、前記オープニングされた繊維をカーディングする工程と、前記カーディングされた繊維を物理的または熱的変形なしに穿孔する工程と、前記穿孔された繊維をボンディングする工程と、前記ボンディングされた繊維を仕上げる工程とを経て製造される。
【０００８】
好ましくは、前記穿孔する工程は、一定の圧力を有する空気を前記カーディングされた繊維側に断続的に噴出して穿孔を形成し、前記カーディングされた繊維を前記穿孔の周りに押し出す工程を備えても良い。
【０００９】
好ましくは、前記穿孔する工程は、前記カーディングする工程と同時に行われても良い。この場合に、前記オープニングされた繊維は、突起を有するコンベヤ上にカーディングされて穿孔された不織布を形成しても良い。また、前記ボンディングする工程は、前記不織布の上側及び／又は下側に一定の空気圧または可変性のある接触による圧力を加えても良い。
【００１０】
本発明の他の様態において、一実施例による吸収製品は、液透過性表面シートと、液不透過性背面シートと、前記表面シートと前記背面シートとの間に配置されて、前記表面シートを透過した液体を吸収する吸収体と、前記表面シートと前記吸収体との間に配置されて、前記表面シートを透過した液体を吸収体に伝達するサージ層とを備える。前記サージ層は、物理的または熱的変形なしに穿孔された不織布を備える。
【００１１】
本発明の他の実施例による吸収製品は、液透過性表面シートと、液不透過性背面シートと、前記表面シートと前記背面シートとの間に配置されて、前記表面シートを透過した液体を吸収する吸収体と、前記表面シートと前記吸収体との間に配置されて、前記表面シートを通じて透過した液体を吸収体に伝達するサージ層とを備える。前記表面シートは、物理的または熱的変形なしに穿孔された不織布からなる。
【００１２】
本発明の他の実施例による吸収製品は、液透過性表面シートと、液不透過性背面シートと、前記表面シートと前記背面シートとの間に配置されて、前記表面シートを透過した液体を吸収する吸収体と、前記表面シートと前記吸収体との間に配置されて、前記表面シートを透過した液体を吸収体に伝達するサージ層とを備える。前記サージ層は、物理的または熱的変形なしに穿孔された不織布と、穿孔された不織布の上側及び／又は下側にラミネートされた穿孔されていない不織布とを備えるラミネートを備える。
【００１３】
好ましくは、穿孔の総面積は、不織布の全面積の５〜８０％の範囲内であっても良い。好ましくは、穿孔の直径は２〜３０ｍｍの範囲内であっても良い。より好ましくは、穿孔の直径は５〜１０ｍｍの範囲内であっても良い。好ましくは、穿孔された不織布の坪量は２０〜４００ｇｓｍの範囲内であっても良い。
【発明の効果】
【００１４】
本発明の不織布製造方法によれば、穿孔は物理的または熱的変形なしに不織布に形成されて、穿孔の周りの繊維密度の上昇を防止し、それによるゴワゴワ感を減少させることができる。よって、そのような不織布が着用者の皮膚に適用されたとき、着用者は柔らかさを感じることができる。
【００１５】
また、不織布は、低い密度及び増加した空間体積を有するため、不織布は着用者の身体から排出された液体を素早く吸収体に伝達することができる。
【００１６】
また、不織布は、少ない量の繊維を用いる場合にも、穿孔されていない不織布と同一の厚さを有するように製造され得る。即ち、不織布は、低坪量の資材を用いるにもかかわらず、穿孔されていない不織布と同一の厚さを有するように製造され、製造費を節減することができる。
【００１７】
穿孔が十分な大きさのサイズを有するとき、表面シートは、穿孔の部分で窪むため、表面シートと着用者の皮膚との間に接触する面積を減少させることができる。また、表面シートと吸収体との間の距離が穿孔によって短くなる。よって、吸収体は、表面シートに含まれた水分を毛細管現象によって吸収することができる。その結果、表面シートと着用者の皮膚との間に接触する面積が減少するだけでなく、表面シートに含まれた水分が減少して、吸収製品の表面シートはサラサラ感を維持することができる。
【００１８】
不織布に対する穿孔の比率が高い場合に、穿孔された不織布は、強度が低下し、穿孔の過程で変形され得る。この点から、穿孔されていない不織布とともに提供されても良い穿孔された不織布は、穿孔された不織布の上側または下側にラミネートされて、不織布の強度を低下させることなく、不織布に対する穿孔の高い比率を維持することができる
【図面の簡単な説明】
【００１９】
【図１】従来の吸収性物品の一例を示す断面図である。
【図２】本発明の一実施例による吸収性物品の一例を示す斜視図である。
【図３】図２におけるＩＩＩ−ＩＩＩ線に沿った断面図である。
【図４】本発明の一実施例による吸収性物品に用いられる不織布ウェブを示す斜視図である。
【図５】カーディングステップ後に行われる穿孔ステップを概略的に示す図である。
【図６】図５における「Ａ」部分の拡大図である。
【図７】オープニングされた繊維に対してカーディング及び穿孔を同時に行う場合を概略的に示す図である。
【図８】図７におけるＶＩＩＩ−ＶＩＩＩ線に沿った断面図である。
【発明を実施するための形態】
【００２０】
以下、添付した図面を参照して、本発明による、物理的または熱的変形を生じさせることなく穿孔された不織布ウェブを製造する方法及びその不織布ウェブを含む吸収性物品の実施例を説明する。
【００２１】
図２は、本発明の一実施例による吸収性物品の一例を示す斜視図である。図３は、図２におけるＩＩＩ−ＩＩＩ線に沿った断面図である。図４は、本発明の一実施例による吸収性物品に用いられる不織布ウェブを示す斜視図である。
【００２２】
図２及び図３を参照すると、本発明の一実施例によって構成される吸収性物品１００は、着用者の身体から排出された液体または排出物を透過させる表面シート１１０と、表面シート１１０から透過した液体を保持する吸収体１３０と、吸収体１３０の下側に配置された、吸収体１３０に保持された液体の外部への漏出を防止するための背面シート１４０と、表面シート１１０及び吸収体１３０の間に配置された、表面シート１１０を透過した液体を吸収体１３０へ素早く送達するためのサージ層１１５とを含む。図２に示すように、吸収性物品１００がおむつとして使用される場合、吸収性物品１００は乳児の太ももに巻回させるための弾性体１５０と、乳児の腰に巻回させるためのウエストバンド１６０をさらに含み得る。
【００２３】
表面シート１１０（「ライナ」とも呼ばれる）は、着用者の皮膚と直接的に接触する。表面シート１１０は、着用者の身体から排出された液体が、表面シート１１０を透過し、吸収体１３０へ素早く移動することを可能にする。よって、表面シート１１０は、湿潤性、親水性及び多孔性を有することが好適である。好ましくは、表面シート１１０は、密度が比較的低く、かつ体積が大きい不織布ウェブ材料から作製される。不織布ウェブ材料は、ポリエステルまたはポリプロピレンのような単一繊維から構成されるか、または、低融点成分及び高融点成分を有する２成分繊維または複合繊維から構成され得る。例えば、前記繊維には、ナイロン、ポリエステル、綿、アクリル繊維、またはそれらの組合わせが含まれ得る。前記２成分繊維は、ポリエステルのコア及びポリエチレンのシースから構成され得る。
【００２４】
吸収体１３０は、表面シート１１０と背面シート１４０との間に配置され、液体を素早く吸収し保持する。一般に、吸収体１３０は、圧縮性及び柔軟性を有し、かつ、着用者の皮膚を刺激しないものである必要がある。例えば、吸収体１３０は、パルプ繊維か、あるいは高吸収性粒子と混合されたパルプ繊維から製造され得る。
【００２５】
背面シート１４０は、吸収体１３０の下側に配置される。背面シート１４０は、吸収体１３０に保持されている液体が外部に排出して着用者の下着を汚さないように、液体不透過性のポリエチレンフィルムから製造され得る。
【００２６】
サージ層１１５は、表面シート１１０と吸収体１３０との間に配置される。サージ層１１５は、表面シート１１０を透過した液体を素早く吸収すると共に、吸収した液体を吸収体１３０へ送達し、吸収された液体が着用者の皮膚に向かって染み出すことを防止する。サージ層１１５は、天然繊維または合成繊維から作製されたボンデッドカーデッドウェブ（bonded carded web）またはエアーレイドウェブ（air laid web）であり得る。ボンデッドカーデッドウェブは、例えば、パウダーボンデッドカーデッドウェブ（powder bonded carded web）、赤外線ボンデッドカーデッドウェブ（infrared bonded carded web）、または通気ボンデッドカーデッドウェブ（through air bonded carded web：ＴＡＢＣＷ）であり得る。
【００２７】
サージ層１１５の吸収速度を増加させるため及びサージ層１１５の柔らかさを向上させるために、本発明の一実施例による物理的または熱的変形を生じさせることなく穿孔された不織布ウェブ１２０が、サージ層１１５として使用され得る。
【００２８】
他の実施例では、本発明の一実施例による物理的または熱的変形を生じさせることなく穿孔された不織布ウェブ１２０は、表面シート１１０として使用され得る。
【００２９】
さらに別の実施例では、本発明の一実施例による物理的または熱的変形を生じさせることなく穿孔された不織布ウェブ（有孔不織布ウェブ）１２０は、その上に無孔不織布ウェブ（穿孔していない不織布ウェブ）が積層された積層体の形態で、サージ層１１５として使用され得る。その場合、無孔不織布ウェブは、表面シート１１０と有孔不織布ウェブ１２０との間か、あるいは有孔不織布ウェブ１２０と吸収体１３０との間に配置され得る。無孔不織布ウェブには、スパンボンドウェブ（spun-bond web）、ボンデッドカーデッドウェブ、エアーレイドウェブなどが含まれ得る（ただし、これらに限定されない）。好ましくは、無孔不織布ウェブの坪量は１０〜３０ｇｓｍの範囲であり得る。
【００３０】
表面シート１１０、不織布ウェブ１２０、吸収体１３０及び背面シート１４０は、当該技術分野で公知の通常の技術を用いて、様々な公知の形態の吸収性物品として製造され得る。例えば、上述の構成要素は、熱的または超音波ボンディング、高温溶融接着剤及びそれらの組合わせ、あるいは他の適切な接合手段を用いて互いに接合され得る。
【００３１】
図４は、本発明の一実施例による、物理的または熱的変形を生じさせることなく穿孔された不織布ウェブを示す斜視図である。図４に示すように、不織布ウェブ１２０のシート１２１には複数の貫通孔１２２が形成されている。一実施例において、不織布ウェブ１２０は、繊維を混合するステップと、混合された繊維をオープニング（opening）するステップと、オープニングされた繊維をカーディング（carding）するステップと、カーディングされた繊維を物理的または熱的変形を生じさせることなく穿孔するステップと、穿孔された繊維をボンディング（bonding）するステップと、ボンディングされた繊維をフィニッシングする（finishing）ステップとを含む方法により製造される。
【００３２】
混合するステップ、オープニングするステップ、カーディングするステップ、ボンディングするステップ、及びフィニッシングするステップは、当該技術分野で公知の通常の技術を用いて実施され得る。
【００３３】
好ましくは、貫通孔の総面積は、有孔不織布ウェブの全面積の５〜８０％の範囲であり得る。好ましくは、貫通孔の直径は２〜３０ｍｍの範囲であり得る。より好ましくは、特に吸収時間の観点からは、貫通孔の直径は５〜１０ｍｍの範囲であり得る。好ましくは、有孔不織布ウェブの坪量は、２０〜４００ｇｓｍの範囲であり得る。
【００３４】
図５は、カーディングステップ後に行われる穿孔ステップを概略的に示す図である。図６は、図５における「Ａ」部分の拡大図である。
【００３５】
図５及び図６を参照すると、一実施例では、カーディングステップ後に、カーディングされた繊維に対して所定圧力の空気を噴射することによって、不織布ウェブ１２０に貫通孔が形成される。空気の噴射は、断続的にまたは連続的に所定時間行う。カーディングされた繊維１２１ａを穿孔する一実施例では、エアーチューブ１７０を、カーディングされた繊維１２１ａのシート１２１の表面に対して垂直に配置する。エアーチューブからカーディングされた繊維のシート１２１に向けて空気を噴射すると、シート１２１における空気の噴射を受けた部分が押し出されるかあるいは吹き飛ばされることによって、貫通孔または開口１２２ａが形成される。このようにすることによって、ボンディングステップの前に、カーディングされた繊維１２１ａのシート１２１に貫通孔または開口１２２ａを形成することができる。その後、ボンディングステップを行うことによって、図４に示すような、貫通孔１２２を有する不織布ウェブが形成される。
【００３６】
他の実施例では、図７及び図８に示すように、穿孔された不織布ウェブを製造すべく、カーディングするステップと穿孔するステップとを同時に行うこともできる。図７は、オープニングされた繊維に対してカーディング及び穿孔を同時に行う場合を概略的に示す図である。図８は、図７におけるＶＩＩＩ−ＶＩＩＩ線に沿った断面図である。図７及び図８に示すように、オープニングされた繊維を、突起またはピン１８１を有するカーディングコンベヤ１８０上でカーディングすることによって、有孔不織布ウェブを製造することができる。前記突起またはピンは、円形または多角形の断面またはテーパ形状を有し得る。図８から明確に分かるように、オープニングされた繊維をカーディングコンベヤ１８０上でカーディングすると、カーディングコンベヤ１８０上に設けられた突起１８１で前記繊維を穿孔することによって、カーディングされた繊維１２１ｂのシートに、図６に示した貫通孔１２２ａのような貫通孔を形成することができる。このようなカーディングステップの完了後、カーディングされた繊維１２１ｂのシートの表面及び／又は底面に対して所定の空気圧力または可変的な接触圧力を加えることにより、ボンディングステップが実施される。このようなボンディングステップによって、カーディングコンベヤ１８０の突起１８１に対応する形状及び大きさの貫通孔１２２（図４参照）が不織布ウェブ１２０に形成される。
【００３７】
上述した穿孔工程によれば、不織布ウェブ１２０の製造時に、繊維の損失が生じない。また、物理的または熱的な圧力に起因する変形を引き起こさない。
【００３８】
なお、穿孔工程についての上述の実施例は、例示のみを目的として提供されるものであり、本発明を上述の特定の工程に限定することを意図するものではない。不織布ウェブの穿孔は、物理的または熱的な圧力に起因する変形を引き起こさない他の様々な方法を用いて実施しても良い。
【００３９】
下記の表１は、無孔不織布ウェブ及び本発明の一実施例による空気噴射により穿孔された有孔不織布ウェブの厚さの値及び密度の値を示す。
【００４０】
【表１】
2014051771.tif 000003
【００４１】
コードＣ：ＴＡＢＣＷ材料の不織布ウェブ（８０ｇｓｍ、穿孔されていない）
コードＧ：ＴＡＢＣＷ材料の不織布ウェブ（７０ｇｓｍ、穿孔されていない）
コードＦ：ＴＡＢＣＷ材料の不織布ウェブ（７０ｇｓｍ、空気噴射により穿孔された）
【００４２】
表１に示すように、同一条件下の場合、不織布ウェブの坪量を減少させると（例えば、コードＣとコードＧとの比較）、密度が減少し、厚さも小さくなる。しかし、本発明による穿孔された不織布ウェブ（コードＦ）は、コードＣよりも坪量が小さい材料を使用するにもかかわらず、コードＣとほぼ同じ厚さ及びコードＣよりも低い密度を有する。さらに、本発明による穿孔された不織布ウェブ（コードＦ）は、コードＧと坪量が同一の材料を使用するにもかかわらず、コードＧよりも厚さが大きく、かつコードＧよりも密度が低い。したがって、本発明による穿孔された不織布ウェブ（コードＦ）は、コードＣ及びコードＧよりも坪量が少ない材料を使用するにもかかわらず、厚さをより大きくすると共に密度をより低くすることができるので、原材料の使用量を節減することができる。
【００４３】
下記の表２は、不織布ウェブ製のサージ層を含む吸収性物品の液体吸収速度及び水分蒸発量の実験結果を示す。前記吸収性物品は、サージ層のみが異なり、サージ層を除いた他の構成要素は同一である。
【００４４】
【表２】
2014051771.tif 000004
【００４５】
コードＣ：ＴＡＢＣＷ材料（８０ｇｓｍ、穿孔されていない）のサージ層を含む吸収性物品
コードＦ：ＴＡＢＣＷ材料（７０ｇｓｍ、空気噴射により穿孔された）のサージ層を含む吸収性物品
【００４６】
表２に示すように、穿孔された不織布ウェブを含む吸収性物品（コードＦ）の吸収時間は、コードＣの吸収性物品の吸収時間よりも約１０〜１７％短い。また、穿孔された不織布ウェブを含む吸収性物品（コードＦ）の水分蒸発量は、コードＣの吸収性物品の水分蒸発量よりも約１５％高い。したがって、本発明による吸収性物品は、着用者の身体から排出された液体を素早く吸収することができると共に、１秒当りの水分蒸発量が高いので、サラサラ感を長時間維持することができる。
【００４７】
以上で説明した本発明は前述した実施例及び添付の図面によって限定されるものではなく、本発明の技術的思想を逸脱しない範囲内で様々な置換、変形及び変更が可能であるということが本発明の属する分野で通常の知識を有する者において明白である。
【図１】
2014051771.tif 000005
【図２】
2014051771.tif 000006
【図３】
2014051771.tif 000007
【図４】
2014051771.tif 000008
【図５】
2014051771.tif 000009
【図６】
2014051771.tif 000010
【図７】
2014051771.tif 000011
【図８】
2014051771.tif 000012
【手続補正書】
【提出日】平成25年10月25日(2013.10.25)
【手続補正１】
【補正対象書類名】特許請求の範囲
【補正対象項目名】全文
【補正方法】変更
【補正の内容】
【特許請求の範囲】
【請求項１】
穿孔された不織布ウェブを製造する方法であって、
繊維を混合するステップと、
前記混合された繊維をオープニングするステップと、
前記オープニングされた繊維をカーディングするステップと、
前記カーディングされた繊維を穿孔するステップと、
前記穿孔された繊維をボンディングするステップと、
前記ボンディングされた繊維を仕上げるステップとを含み、
前記カーディングするステップ及び前記穿孔するステップが、前記オープニングされた繊維を突起を有するコンベヤ上でカーディングして穿孔されたウェブを形成することにより同時に行われ、
前記ボンディングするステップが、前記不織布ウェブの表面及び／又は底面に対して所定の空気圧力または可変的な圧力を加えることにより行われることを特徴とする方法。
【請求項２】
前記穿孔するステップでは、貫通孔の周囲の繊維密度の増加が防止されることを特徴とする請求項１に記載の方法。
【請求項３】
請求項１に記載の方法によって製造されることを特徴とする不織布ウェブ。
【請求項４】
前記貫通孔の総面積が前記不織布ウェブの全面積の５〜８０％の範囲であることを特徴とする請求項３に記載の不織布ウェブ。
【請求項５】
前記貫通孔の直径が２〜３０ｍｍの範囲であることを特徴とする請求項３に記載の不織布ウェブ。
【請求項６】
前記貫通孔の直径が５〜１０ｍｍの範囲であることを特徴とする請求項５に記載の不織布ウェブ。
【請求項７】
穿孔された前記不織布ウェブの坪量が２０〜４００ｇｓｍの範囲であることを特徴とする請求項３に記載の不織布ウェブ。
【請求項８】
吸収性物品であって、
液体透過性の表面シートと、
液体不透過性の背面シートと、
前記表面シート及び前記背面シートの間に配置された、前記表面シートを透過した液体を吸収するための吸収体と、
前記表面シート及び前記吸収体の間に配置された、前記表面シートを透過した液体を前記吸収体へ送達するためのサージ層とを含み、
前記サージ層が、請求項３に記載の穿孔して貫通孔を形成した不織布ウェブを含むことを特徴とする吸収性物品。
【請求項９】
前記貫通孔の総面積が前記不織布ウェブの全面積の５〜８０％の範囲であることを特徴とする請求項８に記載の吸収性物品。
【請求項１０】
前記貫通孔の直径が２〜３０ｍｍの範囲であることを特徴とする請求項８に記載の吸収性物品。
【請求項１１】
前記貫通孔の直径が５〜１０ｍｍの範囲であることを特徴とする請求項１０に記載の吸収性物品。
【請求項１２】
穿孔された前記不織布ウェブの坪量が２０〜４００ｇｓｍの範囲であることを特徴とする請求項８に記載の吸収性物品。
【請求項１３】
吸収性物品であって、
液体透過性の表面シートと、
液体不透過性の背面シートと、
前記表面シート及び前記背面シートの間に配置された、前記表面シートを透過した液体を吸収するための吸収体と、
前記表面シート及び前記吸収体の間に配置された、前記表面シートを透過した液体を前記吸収体へ送達するためのサージ層とを含み、
前記サージ層が、請求項３に記載の穿孔して貫通孔を形成した有孔不織布ウェブと、前記有孔不織布ウェブ上に積層させた無孔不織布ウェブとを含む積層体を含むことを特徴とする吸収性物品。
【請求項１４】
前記貫通孔の総面積が前記有孔不織布ウェブの全面積の５〜８０％の範囲であることを特徴とする請求項１３に記載の吸収性物品。
【請求項１５】
前記貫通孔の直径が２〜３０ｍｍの範囲であることを特徴とする請求項１３に記載の吸収性物品。
【請求項１６】
前記貫通孔の直径が５〜１０ｍｍの範囲であることを特徴とする請求項１５に記載の吸収性物品。
【請求項１７】
前記有孔不織布ウェブの坪量が２０〜４００ｇｓｍの範囲であることを特徴とする請求項１３に記載の吸収性物品。
【請求項１８】
前記無孔不織布ウェブの坪量が１０〜３０ｇｓｍの範囲であることを特徴とする請求項１３に記載の吸収性物品。
【請求項１９】
吸収性物品であって、
液体透過性の表面シートと、
液体不透過性の背面シートと、
前記表面シート及び前記背面シートの間に配置された、前記表面シートを透過した液体を吸収するための吸収体と、
前記表面シート及び前記吸収体の間に配置された、前記表面シートを透過した液体を前記吸収体へ送達するためのサージ層とを含み、
前記表面シートが、請求項３に記載の穿孔して貫通孔を形成した不織布ウェブを含むことを特徴とする吸収性物品。
【請求項２０】
前記貫通孔の総面積が前記不織布ウェブの全面積の５〜８０％の範囲であることを特徴とする請求項１９に記載の吸収性物品。
【請求項２１】
前記貫通孔の直径が２〜３０ｍｍの範囲であることを特徴とする請求項１９に記載の吸収性物品。
【請求項２２】
前記貫通孔の直径が５〜１０ｍｍの範囲であることを特徴とする請求項２１に記載の吸収性物品。
【請求項２３】
穿孔された前記不織布ウェブの坪量が２０〜４００ｇｓｍの範囲であることを特徴とする請求項１９に記載の吸収性物品。